(57)【要約】【課題】通信装置が備える、伝送路とのインタフェース回路の消費電力を低減する。【解決手段】通信装置は、複数の伝送速度を設定可能な通信ポートと、通信ポートにおける所定の期間のトラフィック量を所定の時間間隔で検出するトラフィック量検出部と、トラフィック量検出部で検出された過去のトラフィック量及び現在のトラフィック量に基づいて求められた基準伝送速度以上の最も低い伝送速度を、前記通信ポートの伝送速度として設定する伝送速度制御部と、を備える。【選択図】      図１
2014103439.tif 000002
【特許請求の範囲】
【請求項１】
複数の伝送速度を設定可能な通信ポートと、
前記通信ポートにおける所定の期間のトラフィック量を所定の時間間隔で検出するトラフィック量検出部と、
前記トラフィック量検出部で検出された過去のトラフィック量及び現在のトラフィック量に基づいて求められた基準伝送速度以上の最も低い伝送速度を、前記通信ポートの伝送速度として設定する伝送速度制御部と、
を備える通信装置。
【請求項２】
前記基準伝送速度は、前記過去のトラフィック量及び前記現在のトラフィック量のうち、より高いトラフィック量を前記所定の期間の間に伝送可能な速度であることを特徴とする、請求項１に記載された通信装置。
【請求項３】
前記基準伝送速度を算出するトラフィック量管理部をさらに備える、請求項２に記載された通信装置。
【請求項４】
前記伝送速度制御部は、前記伝送速度を、第１の速度から前記第１の速度より高い第２の速度に変更する場合には第１の閾値を用い、前記第２の速度から前記第１の速度に変更する場合には、前記第１の閾値より低い第２の閾値を用いることを特徴とする、請求項１乃至３のいずれかに記載された通信装置。
【請求項５】
前記トラフィック量検出部で検出されたトラフィック量を記憶し、前記過去のトラフィック量として出力する記憶部をさらに備える、請求項１乃至４のいずれかに記載された通信装置。
【請求項６】
前記トラフィック量検出部は、前記通信ポートにおけるトラフィック量の増加量を検出し、
前記伝送速度制御部は、前記増加量が第３の閾値を越えた場合には前記通信ポートに設定されている伝送速度を増加させる、
請求項１乃至５のいずれかに記載された通信装置。
【請求項７】
複数の伝送速度を設定可能な通信ポートと、前記通信ポートにおける所定の期間のトラフィック量を所定の時間間隔で検出するトラフィック量検出部と、前記トラフィック量検出部で検出された過去のトラフィック量及び現在のトラフィック量に基づいて求められた基準伝送速度以上の最も低い伝送速度を、前記通信ポートの伝送速度として設定する伝送速度制御部と、を備える通信装置、及び、
前記基準伝送速度を算出するトラフィック量管理部と、前記トラフィック量検出部で検出されたトラフィック量を記憶し、前記過去のトラフィック量として出力する記憶部と、を備える管理装置、
を備える通信システム。
【請求項８】
複数の伝送速度を設定可能な通信ポートにおける所定の期間のトラフィック量を所定の時間間隔で検出し、
前記検出された過去のトラフィック量及び現在のトラフィック量に基づいて求められた基準伝送速度以上の最も低い伝送速度を、前記通信ポートの伝送速度として設定する、
通信装置の制御方法。
【請求項９】
通信ポートの現在のトラフィック量を取得する手順と、
前記通信ポートの過去の所定の期間のトラフィック量を記憶部から取得する手順と、
記憶部が、前記過去のトラフィック量を持っていない場合に、取得された前記現在のトラフィック量を、伝送速度制御部に通知する手順と、
前記現在のトラフィック量が、前記過去のトラフィック量以上である場合に、前記現在のトラフィック量を前記伝送速度制御部に通知する手順と、
前記現在のトラフィック量が、前記過去のトラフィック量未満である場合に、前記過去のトラフィック量を前記伝送速度制御部に通知する手順と、
をコンピュータに実行させるための、通信装置の制御プログラム。
【発明の詳細な説明】
【技術分野】
【０００１】
本発明は、通信装置、通信システム、通信装置の制御方法及び通信装置の制御プログラムに関し、特に、通信装置の消費電力の低減を可能とする技術に関する。
【背景技術】
【０００２】
ルータやスイッチングハブなどの通信装置は、昼夜連続して稼働しているため、夜間などトラフィック量が少ない時間帯にも定常的に電力が消費されている場合がある。一方で、近年、ＩＴ（Information Technology）技術によるエネルギー消費の削減が求められている。
【０００３】
通信装置の省電力化に関しては、トラフィック量が少ない場合に、消費電力を低減する技術が提案されている。例えば、特許文献１には、過去の通信量の情報を保持し、将来の通信量を予測し装置を最適な消費電力で動作させることで省電力化を行う中継装置が記載されている。また、特許文献２には、予測負荷に基づいて性能を判定する性能判定部を備えたパケット転送装置が記載されている。
【先行技術文献】
【特許文献】
【０００４】
【特許文献１】特開２００８?２０５６９５号公報（３ページ）
【特許文献２】特開２００９−２５３４８１号公報（８ページ及び図５）
【発明の概要】
【発明が解決しようとする課題】
【０００５】
通信装置間を結ぶ伝送路の伝送速度は、ネットワーク設計上の最大のトラフィック量を所定の時間内に転送できるように設定される必要がある。一般に、設定された伝送路の速度は固定値であり、夜間などのトラフィックが少ない時間帯でも、伝送路とのインタフェース回路は設定された速度で動作している。しかしながら、伝送速度が高くなるほどインタフェース回路の動作速度も高くなり、その結果、インタフェース回路の消費電力が上昇する。このため、トラフィックが少ない状況において伝送路の速度を必要以上に高速に設定しておくことは、通信装置に不必要な電力を消費させることとなる。
【０００６】
特許文献１、２に記載されている技術は、受信したデータ量などを基に装置の内部のシステムクロック周波数を制御して装置内部の処理能力を変化させることで省電力化を図っている。しかし、特許文献１、２に記載された技術は、受信したデータを通信装置の内部で処理する際の性能を制御するためのものであり、伝送路とのインタフェース回路の消費電力をトラフィックに応じて低減させることはできない。
【０００７】
（発明の目的）
本発明は、通信装置が備える、伝送路とのインタフェース回路の消費電力を低減する技術を提供することを目的とする。
【課題を解決するための手段】
【０００８】
本発明の通信装置は、複数の伝送速度を設定可能な通信ポートと、前記通信ポートにおける所定の期間のトラフィック量を所定の時間間隔で検出するトラフィック量検出部と、前記トラフィック量検出部で検出された過去のトラフィック量及び現在のトラフィック量に基づいて求められた基準伝送速度以上の最も低い伝送速度を、前記通信ポートの伝送速度として設定する伝送速度制御部と、を備える。
【０００９】
本発明の通信システムは、複数の伝送速度を設定可能な通信ポートと、前記通信ポートにおける所定の期間のトラフィック量を所定の時間間隔で検出するトラフィック量検出部と、前記トラフィック量検出部で検出された過去のトラフィック量及び現在のトラフィック量に基づいて求められた基準伝送速度以上の最も低い伝送速度を、前記通信ポートの伝送速度として設定する伝送速度制御部と、を備える通信装置、及び、前記基準伝送速度を算出するトラフィック量管理部と、前記トラフィック量検出部で検出されたトラフィック量を記憶し、前記過去のトラフィック量として出力する記憶部と、を備える管理装置、を備える。
【００１０】
本発明の通信装置の制御方法は、複数の伝送速度を設定可能な通信ポートにおける所定の期間のトラフィック量を所定の時間間隔で検出し、前記検出された過去のトラフィック量及び現在のトラフィック量に基づいて求められた基準伝送速度以上の最も低い伝送速度を、前記通信ポートの伝送速度として設定することを特徴とする。
【００１１】
本発明の通信装置の制御プログラムは、通信ポートの現在のトラフィック量を取得する手順と、前記通信ポートの過去の所定の期間のトラフィック量を記憶部から取得する手順と、記憶部が、前記過去のトラフィック量を持っていない場合に、取得された前記現在のトラフィック量を、伝送速度制御部に通知する手順と、前記現在のトラフィック量が、前記過去のトラフィック量以上である場合に、前記現在のトラフィック量を前記伝送速度制御部に通知する手順と、前記現在のトラフィック量が、前記過去のトラフィック量未満である場合に、前記過去のトラフィック量を前記伝送速度制御部に通知する手順と、をコンピュータに実行させることを特徴とする。
【発明の効果】
【００１２】
本発明は、通信装置が備える、伝送路とのインタフェース回路の消費電力を低減させるという効果を奏する。
【図面の簡単な説明】
【００１３】
【図１】第１の実施形態の通信装置の構成を示す図である。
【図２】トラフィック量管理部の処理を示すフローチャートである。
【図３】記憶部が過去のトラフィック量を読み出す処理を示すフローチャートである。
【図４】記憶部の書き込み処理を示すフローチャートである。
【図５】第２の実施形態のＬＡＮ（local area network）接続装置の構成を示す図である。
【図６】第３の実施形態の通信システムの構成を示す図である。
【図７】第４の実施形態の通信装置の構成を示す図である。
【発明を実施するための形態】
【００１４】
（第１の実施形態）
次に、本発明の第１の実施形態について図面を参照して詳細に説明する。図１は、本発明の第１の実施形態の通信装置の構成を示す図である。図１において、本発明の通信装置１０は、トラフィック量検出部２０、トラフィック量管理部３０、記憶部４０、伝送速度制御部６０、入出力インタフェース７０及びデータ処理部９０を備える。入出力インタフェース７０は８個のポート７１〜７８を備える。なお、ポート及びそれに接続される伝送路の数は８個に限られない。
【００１５】
ポート７１〜７８は、通信装置１０における、伝送路８１〜８８とのインタフェースとなる通信ポートである。ポート７１〜７８には、それぞれ対向する通信装置（図示されない）との間に伝送路８１〜８８が接続される。伝送路８１〜８８は有線伝送路である必要はなく、無線伝送路でもよい。ポート７１〜７８は、伝送路８１〜８８からデータを受信して通信装置内部のデータ処理部９０に転送するとともに、データ処理部９０から出力されたデータを伝送路８１〜８８に出力する。そして、ポート７１〜７８は、設定された速度で、伝送路８１〜８８を介してデータを送受信する。ポート７１〜７８が伝送路８１〜８８を介してデータを送受信する速度である伝送速度は、伝送速度制御部６０からの制御により、ポート毎に設定される。ポート７１〜７８は、それぞれが少なくとも２通りの伝送速度を持つ。
【００１６】
データ処理部９０は、ポート７１〜７８から入力されたデータを解析し、その結果に基づいてデータをポート７１〜７８に出力する。例えば、通信装置１０がルータである場合には、データ処理部９０は、入力されたデータの宛先ＩＰアドレスを読み出し、ルーティングテーブルに従ってデータを所定のポートに出力する。データ処理部９０の一般的な処理はルータやスイッチングハブとしてよく知られており、またデータ処理部９０の構成や動作は本実施形態とは関連しないため、データ処理部９０に関する詳細な説明は省略する。
【００１７】
トラフィック量検出部２０は、過去のある時点から現時点までに、ポート７１〜７８で送受信されたトラフィック量をポート毎に検出して、一時的に記憶している。トラフィック量は、パケット数およびそれらのパケットのパケットサイズに基づいて求めることができる。すなわち、あるポートで所定の期間に送信されたパケット数をＭ（Ｍは自然数）、ｍ（ｍは１≦ｍ≦Ｍの整数）番目のパケットのパケットサイズをＬ（ｍ）とすると、当該ポートの送信トラフィック量ＳはＬ（１）〜Ｌ（Ｍ）の総和となる。なお、送信パケットのサイズの総和である送信トラフィック量、あるいは、受信パケットのサイズの総和である受信トラフィック量の、いずれか一方をトラフィック量として用いてもよい。
【００１８】
トラフィック量検出部２０は、トラフィック量管理部３０から要求された場合に、検出されたトラフィック量をトラフィック量管理部３０に通知する。また、トラフィック量検出部２０は、検出されたトラフィック量をクリアする要求をトラフィック量管理部３０から受信した場合には、一時的に記憶していたトラフィック量を消去して、トラフィック量が未検出である状態に戻す。
【００１９】
トラフィック量管理部３０は、１時間毎に記憶部４０から現在までの過去のトラフィック量を取得するとともに、現在のトラフィック量をトラフィック量検出部２０から取得する。現在のトラフィック量は、現在から過去の所定の期間の間（例えば１時間）のトラフィック量である。ただし、現在及び過去のトラフィック量を取得する時間は、１時間よりも長い時間あるいは短い時間でもよい。そして、トラフィック量管理部３０は、過去のトラフィック量及び現在のトラフィック量に基づいて、現在以降の伝送路８１〜８８の伝送速度の設定の基準となるトラフィック量（以下、「基準トラフィック量」という。）を求め、伝送速度制御部６０に指示する。トラフィック量管理部３０は、伝送速度制御部６０に基準トラフィック量を通知するとともに、記憶部４０に現在のトラフィック量を取得日時の情報と共に保存し、トラフィック量検出部２０に現在のトラフィック量のクリアを要求する。
【００２０】
記憶部４０は、トラフィック量管理部３０から通知された、ポート７１〜７８のトラフィック量を、ポート毎のデータとして保存する。トラフィック量は、過去のトラフィック量として必要とされる最小単位で記憶される。例えば、記憶部４０は、毎正時に、過去の１時間の間のトラフィック量を記憶してもよい。
【００２１】
また、記憶部４０は、トラフィック量管理部３０から要求された期間のトラフィック量を、トラフィック量管理部３０に通知する。
【００２２】
伝送速度制御部６０は、トラフィック量管理部３０から通知された基準トラフィック量を基に入出力インタフェース７０が備えるポート７１〜７８のそれぞれに設定される伝送速度を算出し、算出された伝送速度をポート７１〜７８に通知する。ポート７１〜７８は、伝送速度制御部６０の指示により、対向する通信装置との間の伝送速度を変更する。例えば、ポート７１のトラフィック量に基づく基準トラフィック量がトラフィック量管理部３０から伝送速度制御部６０に通知された場合は、伝送速度制御部６０は、ポート７１の伝送速度を変更する。
【００２３】
図２は、第１の実施形態における、トラフィック量管理部３０の処理を示すフローチャートである。トラフィック量の検出及び伝送速度の設定は、ポート７１〜７８のそれぞれに対して個別に行われる。図２においては、ポート７１に対するトラフィック量管理部３０の処理フローを例として説明する。なお、図２に示すトラフィック量の検出及び伝送速度の設定フローは、所定の時間間隔で（例えば１時間毎に）行われてもよい。
【００２４】
トラフィック量管理部３０は、ポート７１の現在のトラフィック量Ａ１を、トラフィック量検出部２０から取得し（ステップＳ１０１）、ポート７１の過去の所定の期間のトラフィック量Ａ０のデータを記憶部４０に要求する（Ｓ１０２）。例えば、現在時刻が１５時である場合、現在のトラフィック量Ａ１は本日の１４時から１５時までのトラフィック量である。そして、トラフィック量管理部３０は、昨日の１４時から１５時の間のトラフィック量Ａ０のデータを、記憶部４０に要求する。
【００２５】
記憶部４０が、該当するトラフィック量Ａ０のデータを持っていない場合（Ｓ１０２：データ無）、トラフィック量管理部３０は、トラフィック量検出部２０で検出された現在のトラフィック量Ａ１を、伝送速度制御部６０に通知する（Ｓ１０４）。
【００２６】
トラフィック量管理部３０が、過去のトラフィック量Ａ０を記憶部４０から取得できた場合（Ｓ１０２：データ有）、トラフィック量管理部３０は、取得した過去のトラフィック量Ａ０と現在のトラフィック量Ａ１とを比較する（Ｓ１０３）。現在時刻が１５時である場合、トラフィック量管理部３０は、昨日の１４時から１５時までのトラフィック量と、本日の１４時から１５時までのトラフィック量とを比較する。
【００２７】
現在のトラフィック量Ａ１が、過去のトラフィック量Ａ０以上であった場合（Ｓ１０３：Ａ０≦Ａ１）、トラフィック量管理部３０は、現在のトラフィック量Ａ１を伝送速度制御部６０に通知する（Ｓ１０４）。現在のトラフィック量Ａ１が、過去のトラフィック量Ａ０未満の場合（Ｓ１０３：Ａ０＞Ａ１）、トラフィック量管理部３０は、過去のトラフィック量Ａ０を伝送速度制御部６０に通知する（Ｓ１０５）。
【００２８】
伝送速度制御部６０は、トラフィック量管理部３０から通知された過去のトラフィック量Ａ０あるいは現在のトラフィック量Ａ１に基づいて、伝送速度をポート７１に指示する。伝送速度制御部６０が、トラフィック量Ａ０あるいはＡ１に基づいて伝送速度をポート７１に指示する手順については後述する。
【００２９】
トラフィック量管理部３０は、現在のトラフィック量Ａ１または過去のトラフィック量Ａ０を伝送速度制御部６０に通知した後、現在のトラフィック量Ａ１を記憶部４０に通知する（Ｓ１０６）。記憶部４０は、トラフィック量管理部３０から通知された現在のトラフィック量Ａ１を記憶する。
【００３０】
このように、トラフィック量管理部３０は、現在のトラフィック量Ａ１と過去のトラフィック量Ａ０と比較し、より大きい方のトラフィック量を伝送速度制御部６０に通知するとともに、現在のトラフィック量Ａ１を記憶部４０に記憶させる。
【００３１】
なお、トラフィック量管理部３０は、ＣＰＵ（central processing unit、中央処理装置）及びプログラムの記憶部をさらに備え、ＣＰＵは、プログラムにステップＳ１０１〜Ｓ１０６の手順を実行させてもよい。
【００３２】
図３は、記憶部４０が過去のトラフィック量Ａ０を読み出す処理を示すフローチャートである。記憶部４０は、トラフィック量管理部３０からデータの取得要求があったポートの、過去のトラフィック量Ａ０を読み出す（Ｓ２０１）。
【００３３】
記憶部４０に、指定された期間の過去のトラフィック量Ａ０のデータが存在する場合には（Ｓ２０２：データ有）、記憶部４０は、取得した過去のトラフィック量Ａ０をトラフィック量管理部３０に通知する（Ｓ２０３）。
【００３４】
記憶部４０に、指定された時刻の過去のトラフィック量Ａ０のデータが存在しない場合には（Ｓ２０２：データ無）、記憶部４０は、該当するトラフィック量が存在しない旨をトラフィック量管理部３０に通知する（Ｓ２０４）。
【００３５】
図４は、第１の実施形態における、記憶部４０の書き込み処理フローを示す図である。記憶部４０は、トラフィック量管理部３０から通知されたポートの現在の日時のトラフィック量を記憶する（Ｓ３０１）。
【００３６】
続いて、伝送速度制御部６０が、基準トラフィック量に基づいてポート７１〜７８の伝送速度を決定する手順を説明する。以下では、トラフィック量管理部３０から通知された基準トラフィック量をＢ０として、伝送速度制御部６０がポート７１の伝送速度を設定する手順を例として説明する。
【００３７】
基準トラフィック量Ｂ０は、過去あるいは現在の所定の期間のトラフィック量（Ａ０またはＡ１）である。伝送速度制御部６０は、基準トラフィック量Ｂ０から、ポート７１に求められる伝送速度を算出する。例えば、基準トラフィック量Ｂ０が１時間にＢ０ＭＢ（mega byte）である場合には、伝送路で必要となる速度（以下、「基準伝送速度」という。）Ｖ０は、Ｖ０＝（Ｂ０×８／３６００）Ｍｂｐｓ（megabits per second）である。ここでは１バイトは８ビットであるとした。
【００３８】
伝送速度制御部６０は、現在のポート７１の伝送速度を、基準伝送速度Ｖ０以上で、最も低い伝送速度に設定する。基準伝送速度は、トラフィック量Ｂ０を、所定の期間（１時間）で伝送するために必要な平均伝送速度である。その結果、ポート７１の伝送速度は基準トラフィック量のトラフィックを伝送するために必要な最低限の速度に抑えられる。すなわち、第１の実施形態の通信装置１０は、伝送路とのインタフェース回路の消費電力を低減させることができる。
【００３９】
また、トラフィック量管理部３０は、過去のトラフィック量と現在のトラフィック量とを比較して、より大きいトラフィック量を基準トラフィック量としている。すなわち、トラフィック量を比較する時間帯において、過去に大きいトラフィック量が観測されていた場合には、過去のトラフィック量Ａ１を伝送可能な、より高い伝送速度が設定される。このため、第１の実施形態の通信装置は、現在はトラフィック量が少ない場合でも、過去のトラフィック量が大きいことからトラフィック量が今後高くなる可能性が見込まれるような場合に、伝送遅延やデータ損失が発生する可能性を低減できる。
【００４０】
（第２の実施形態）
図５は、本発明の第２の実施形態のＬＡＮ（local area network）接続装置の構成を示す図である。ＬＡＮ接続装置１０Ａは、第１の実施形態の通信装置１０が、ＬＡＮに接続される通信装置である場合の実施形態である。
【００４１】
図５において、ＬＡＮ接続装置１０Ａは、トラフィック量検出部２０、トラフィック量管理部３０、記憶部４０、伝送速度制御部６０、入出力インタフェース７０Ａ及びデータ処理部９０を備える。入出力インタフェース７０ＡはＬＡＮポート７１Ａ〜７８Ａを備え、ＬＡＮポート７１Ａ〜７８ＡはＬＡＮ伝送路８１Ａ〜８８Ａと接続される。なお、第１の実施形態の通信装置１０と同一の機能を備える要素には第１の実施形態と同一の符号を付して、基本的な説明は省略し、以下では各要素の具体的な動作を説明する。
【００４２】
ＬＡＮポート７１Ａ〜７８Ａは、ＬＡＮ伝送路８１Ａ〜８８Ａとのインタフェース回路であり、イーサネット（Ethernet、登録商標）のPHY（physical layer：物理層）の機能を備える。ＬＡＮポート７１Ａ〜７８Ａには、それぞれ対向するＬＡＮ接続装置とのＬＡＮ伝送路８１Ａ〜８８Ａが接続されている。ＬＡＮ伝送路８１Ａ〜８８Ａは、最大伝送速度が１Ｇｂｐｓ（gigabit per second）のイーサネット伝送路である。それぞれのＬＡＮポート７１Ａ〜７８Ａには、１Ｇｂｐｓ、１００Ｍｂｐｓ（megabit per second）、１０Ｍｂｐｓの３種類の速度を伝送速度制御部６０から設定可能である。
【００４３】
データ処理部９０は、ＬＡＮポート７１Ａ〜７８Ａから入力されたデータを解析し、その結果に基づいてデータをＬＡＮポート７１Ａ〜７８Ａに出力する。
【００４４】
第２の実施形態における、トラフィック量管理部３０の処理フローは、図２と同様である。以下では、図２を参照して、第２の実施形態におけるトラフィック量管理部３０がＬＡＮポート７１Ａの伝送速度を設定する具体的な動作を説明する。
【００４５】
トラフィック量管理部３０は、ＬＡＮポート７１Ａの１４時から１５時までの現在のトラフィック量Ａ１をトラフィック量検出部２０から取得し（ステップＳ１０１）、ＬＡＮポート７１Ａの昨日の１４時から１５時までのトラフィック量Ａ０のデータを記憶部４０に要求する（Ｓ１０２）。
【００４６】
記憶部４０が、昨日の１４時から１５時の間のトラフィック量のデータを持っていない場合（Ｓ１０２：データ無）、トラフィック量管理部３０は、トラフィック量検出部２０で検出された現在のトラフィック量Ａ１を、伝送速度制御部６０に通知する（Ｓ１０４）。
【００４７】
トラフィック量管理部３０が、過去のトラフィック量Ａ０を記憶部４０から取得できた場合（Ｓ１０２：データ有）、トラフィック量管理部３０は、昨日の１４時から１５時のトラフィック量Ａ０と、本日の１４時から１５時のトラフィック量Ａ１とを比較する（Ｓ１０３）。
【００４８】
（１）ここで、昨日の１４時から１５時までのトラフィック量Ａ０が２０ＧＢであり、本日の１４時から１５時のトラフィック量Ａ１が２ＧＢであったとする。この場合、過去のトラフィック量が現在のトラフィック量よりも大きいので、トラフィック量管理部３０は、トラフィック量管Ａ０を基準トラフィック量Ｂ０として伝送速度制御部６０に通知する（Ｓ１０４）。
【００４９】
伝送速度制御部６０は、基準トラフィック量Ｂ０から、ＬＡＮポート７１Ａに求められる伝送速度を算出する。基準トラフィック量Ｂ０が２０ＧＢであるので、基準伝送速度Ｖ０は、Ｖ０＝（２０×１０００×８／３６００）≒４４．４（Ｍｂｐｓ）となる。その結果、伝送速度制御部６０は、現在のポート７１の伝送速度を、基準伝送速度Ｖ０以上で最も低い伝送速度、すなわち１００Ｍｂｐｓに設定する。従って、ＬＡＮポート７１Ａの現在の伝送速度が１０Ｍｂｐｓ、あるいは１Ｇｂｐｓである場合には、伝送速度は１００Ｍｂｐｓに変更される。
【００５０】
このように、現在のトラフィック量（２ＧＢ）よりも過去のトラフィック量（２０ＧＢ）が大きい場合には、ＬＡＮポート７１Ａの伝送速度は、過去のトラフィック量に基づいて設定される。ＬＡＮポート７１Ａの伝送速度をこのように設定することで、トラフィック量が周期的に変動する場合に、トラフィック量が過去の同一時間帯のトラフィックと同様な程度まで今後増加する可能性がある場合でも、伝送路の伝送容量が不足する恐れを低減できる。
【００５１】
（２）次に、昨日の１４時から１５時までのトラフィック量Ａ０が２ＧＢであり、本日の１４時から１５時（すなわち現在から過去１時間）のトラフィック量Ａ１が２０ＧＢであった場合を考える。この場合、現在のトラフィック量が過去のトラフィック量よりも大きいので、トラフィック量管理部３０は、トラフィック量Ａ１を基準トラフィック量Ｂ０として伝送速度制御部６０に通知する。
【００５２】
伝送速度制御部６０は、基準トラフィック量Ｂ０から、ポート７１に求められる伝送速度を算出する。基準トラフィック量Ｂ０が２０ＧＢであるので、基準伝送速度Ｖ０は（１）と同様にＶ０≒４４．４（Ｍｂｐｓ）である。その結果、伝送速度制御部６０は、現在のポート７１の伝送速度を、Ｖ０以上で最も低い伝送速度、すなわち１００Ｍｂｐｓに設定する。
【００５３】
上の説明では、現在のトラフィック量から求めた基準伝送速度が約４４Ｍｂｐｓであるので、現在のポート７１Ａの伝送速度は１００Ｍｂｐｓまたは１Ｇｂｐｓであると推定される。そして、ポート７１の伝送速度が１Ｇｂｐｓであった場合には、伝送速度は１００Ｍｂｐｓに低下させられる。
【００５４】
以上（１）、（２）においては、ＬＡＮ接続装置１０Ａにおいて、過去のトラフィック量Ａ０及び現在のトラフィック量Ａ１に基づいて、いずれか大きい方のトラフィック量を所定時間内に転送可能かつ最も低い伝送速度がＬＡＮポートに設定される具体的な例を説明した。このように、第２の実施形態のＬＡＮ接続装置１０Ａは、通信装置が備える、伝送路とのインタフェース回路の消費電力を低減させることができる。
【００５５】
また、第２の実施形態のＬＡＮ接続装置は、第１の実施形態の通信装置と同様に、現在及び過去のトラフィック量に基づいてＬＡＮポートの伝送速度を設定している。このため、第２の実施形態のＬＡＮ接続装置は、現在はトラフィック量が少ない場合でも、過去のトラフィック量が大きいことからトラフィック量が今後高くなる可能性が見込まれるような場合に、伝送遅延やデータ損失が発生する可能性を低減できる。
【００５６】
なお、第２の実施形態では１時間あたりの基準トラフィック量Ｂ０が２０ＧＢである場合には基準伝送速度Ｖ０は約４４Ｍｂｐｓとなり、ＬＡＮポート７１Ａの伝送速度が１００Ｍｂｐｓと設定されることを説明した。同様に、１時間あたりの基準トラフィック量Ｂ０が例えば２ＧＢである場合には、基準伝送速度Ｖ０は約４．４Ｍｂｐｓとなるため、ＬＡＮポート７１Ａの伝送速度は１０Ｍｂｐｓに設定される。一方、１時間あたりの基準トラフィック量Ｂ０が例えば２００ＧＢである場合には、基準伝送速度Ｖ０は約４４４Ｍｂｐｓとなるため、ＬＡＮポート７１Ａの伝送速度は１Ｇｂｐｓに設定される。
【００５７】
また、ＬＡＮポートの伝送速度を増加させる場合と低下させる場合とで、伝送速度を増加させる場合に用いる閾値は、伝送速度を低下させる場合の閾値よりも大きい値としてもよい。例えば、現在の伝送速度が１０Ｍｂｐｓである場合には、基準伝送速度が９Ｍｂｐｓ以上で伝送速度を１００Ｍｂｐｓに変更する。そして、現在の伝送速度が１００Ｍｂｐｓである場合には、基準伝送速度が８Ｍｂｐｓ以下で、伝送速度を１０Ｍｂｐｓに設定する。その結果、例えば基準伝送速度が８Ｍｂｐｓ付近である場合に、伝送速度の設定が、図２のフローを実施する都度１０Ｍｂｐｓと１００Ｍｂｐｓとの間で不安定に変動することを回避できる。
【００５８】
（第１及び第２の実施形態の第１の変形例）
なお、トラフィック量管理部３０は、図２で説明した伝送速度の設定手順を実施する間隔よりも短い時間間隔でトラフィック量検出部２０からポート７１〜７８のトラフィック量を収集する機能をさらに備えていてもよい。そして、あるポートのトラフィック量が当該短い収集間隔の間に、ある閾値以上増加した場合には、トラフィック量管理部３０は、図２のフローを実施することなく、直ちに当該インタフェースの伝送速度を増加させる。
【００５９】
例えば、図２で説明した伝送速度の設定手順が１時間毎に行われているとして、トラフィック量管理部は、さらに、トラフィック量の変動を１分間隔で監視する。１分間隔で監視しているトラフィック量が急増すると、トラフィック量管理部３０は、直ちに当該インタフェースの伝送速度を上昇させる。
【００６０】
あるいは、トラフィック量管理部３０は、トラフィック量の増加量に対する複数の閾値を備え、どの閾値を越えたかによって、異なる伝送速度をポートに設定してもよい。
【００６１】
このように、より短い間隔でトラフィック量のデータを収集する構成をさらに備えることにより、第１及び第２の実施形態の効果に加えて、急激なトラフィック量の増加によって伝送容量が不足する可能性を低減できる。
【００６２】
なお、伝送速度の設定手順の実施間隔よりも短い時間間隔で収集されたトラフィック量は、記憶部４０に保存されないようにしてもよい。これにより、記憶部４０に記憶可能なデータ量が短時間のうちに減少することを防ぐことができる。
【００６３】
（第１及び第２の実施形態の第２の変形例）
図２のステップＳ１０３で比較される過去のトラフィック量は、前日の同時刻のものでなくともよい。比較される過去のトラフィック量の時期は、比較されるデータのトラフィックが変動する周期の長さに応じて決定されてもよい。トラフィック量が日中と夜間との変動を繰り返す場合には、第２の実施形態で説明したように、現在のトラフィック量と前日の同一時間帯のトラフィック量とが比較されてもよい。一方、例えばトラフィック量が１週間単位（あるいは１か月単位、１年単位）で増減を繰り返す場合には、現在のトラフィック量と１週間前（あるいは１か月前、１年前）のトラフィック量とが比較されてもよい。
【００６４】
（第１及び第２の実施形態の第３の変形例）
第１及び第２の実施形態では、過去の１つの期間のトラフィック量と、現在のトラフィック量とを比較して一方を基準トラフィック量とする形態を説明した。しかし、過去の比較的近接する２つの期間のトラフィック量の差分から、過去におけるトラフィック量の増減量を求め、求められた増減量を用いて基準トラフィック量を補正してもよい。例えば、過去の同時期において、トラフィック量が増加傾向を示している場合には、今後トラフィック量が増加する可能性を考慮して、基準トラフィック量を増加させ、増加させた基準トラフィック量に基づいて各ポートの伝送速度が設定されてもよい。
【００６５】
（第３の実施形態）
図６は、本発明の第３の実施形態の通信システムの構成を示す図である。図６に示す通信システム３００は、通信装置３０１〜３０８及び管理装置３５０を備える。第１及び第２の実施形態と比較して、第３の実施形態の通信装置システム３００はトラフィック管理部３０及び記憶部４０が、通信装置３０１〜３０８ではなく、管理装置３５０に備えられている点が相違する。なお、図６においても図１と同一の機能を備える要素には同一の符号を付して、詳細な説明は省略する。図６において、通信装置３０１〜３０８の構成は同一であり、また、通信装置の数は８台に限定されない。
【００６６】
すなわち、通信装置３０１〜３０８は、入出力インタフェース７０、伝送速度制御部６０、トラフィック量検出部２０及びデータ処理部９０を備える。また、管理装置３５０は、トラフィック管理部３０及び記憶部４０を備える。トラフィック量管理部３０は、それぞれの通信装置３０１〜３０８が備える伝送速度制御部６０、トラフィック量検出部２０、記憶部４０と伝送路３１１〜３１８により接続されている。このような構成を備える通信システム３００は、各機能部の機能及び機能部間の接続関係は第１及び第２の実施形態と同様である。従って、通信システム３００は、第１及び第２の実施形態で説明した手順に従って、通信装置３０１〜３０８の各ポートの伝送速度を設定することができる。
【００６７】
従って、通信システム３００は、第１及び第２の実施形態と同様に、伝送路とのインタフェース回路の消費電力を低減させることができる。また、通信システム３００は、現在はトラフィック量が少ない場合でも、過去のトラフィック量が大きいことからトラフィック量が今後高くなる可能性が見込まれるような場合に、伝送遅延やデータ損失が発生する可能性を低減できる。
【００６８】
さらに、通信システム３００は、トラフィック管理部３０が管理装置３５０に備えられているため、通信装置３０１〜３０８の大きさ及びコストを低減することができ、ひいては、通信装置の増設が容易となる。
【００６９】
（第４の実施形態）
図７は、本発明の第４の実施形態の通信装置の構成を示す図である。図７に示す通信装置４００は、通信ポート４０１と、トラフィック量検出部４０２と、伝送速度制御部４０３と、を備える。
【００７０】
通信ポート４０１は、複数の伝送速度を設定可能な、伝送路４０３とのインタフェース回路である。トラフィック量検出部４０２は、通信ポート４０１における所定の期間のトラフィック量を所定の時間間隔で検出する。伝送速度制御部４０３は、トラフィック量検出部４０２で検出された過去のトラフィック量及び現在のトラフィック量に基づいて求められた基準伝送速度以上の最も低い伝送速度を、通信ポート４０１の伝送速度として設定する。
【００７１】
すなわち、通信装置４００は、過去及び現在のトラフィック量に基づいて、伝送速度を、基準伝送速度以上で最も低い速度となるように設定する。従って、通信装置４００は、第１乃至第３の実施形態と同様に、伝送路とのインタフェース回路の消費電力を低減させることができる。また、通信装置４００は、現在はトラフィック量が少ない場合でも、過去のトラフィック量が大きいことからトラフィック量が今後高くなる可能性が見込まれるような場合に、伝送遅延やデータ損失が発生する可能性を低減できる。
【符号の説明】
【００７２】
１０、２００、３０１、４００  通信装置
１０Ａ  ＬＡＮ接続装置
２０  トラフィック量検出部
３０、４０２  トラフィック量管理部
４０  記憶部
６０、４０３  伝送速度制御部
７０、７０Ａ  入出力インタフェース
７１〜７８  ポート
７１Ａ〜７８Ａ  ＬＡＮポート
８１〜８８、３１１〜３１８，４０４  伝送路
８１Ａ〜８８Ａ  ＬＡＮ伝送路
９０  データ処理部
３００  通信システム
３５０  管理装置
４０１  通信ポート
【図１】
2014103439.tif 000003
【図２】
2014103439.tif 000004
【図３】
2014103439.tif 000005
【図４】
2014103439.tif 000006
【図５】
2014103439.tif 000007
【図６】
2014103439.tif 000008
【図７】
2014103439.tif 000009